(57)【要約】【課題】庫内灯の緩みを回避する冷却用貯蔵庫を提供すること。【解決手段】本発明は、庫内に取り付けられた庫内灯ソケット（３）と、この庫内灯ソケット（３）に取り付けられる庫内灯（２）とを備え、可燃性の冷媒を使用する冷蔵庫において、前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中に前記口金（２Ａ）の先端の端子（２Ｃ）と前記受金（８）側の接触片（１１）とが接触する前に、この庫内灯（２）の全周囲に接触して前記端子（２Ｃ）と前記接触片（１１）とが接触する空間を密閉し、且つ、この接触後もこの庫内灯（２）の螺合を許容する筒状の保持部（５）を設けたことを特徴とする。【選択図】　図３
2004037004.tif 000002
【特許請求の範囲】
【請求項１】
庫内に取り付けられた庫内灯ソケット（３）と、この庫内灯ソケット（３）に取り付けられる庫内灯（２）とを備えた冷蔵庫において、
前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中にこの庫内灯（２）の外周に接触しながらもこの庫内灯（２）の螺合を許容する保持部（５）を設けたことを特徴とする冷蔵庫。
【請求項２】
庫内に取り付けられた庫内灯ソケット（３）と、この庫内灯ソケット（３）に取り付けられる庫内灯（２）とを備え、可燃性の冷媒を使用する冷蔵庫において、
前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中に前記口金（２Ａ）の先端の端子（２Ｃ）と前記受金（８）側の接触片（１１）とが接触する前に、この庫内灯（２）の外周に接触し、接触しながらもこの庫内灯（２）の螺合を許容する保持部（５）を設けたことを特徴とする冷蔵庫。
【請求項３】
庫内に取り付けられた庫内灯ソケット（３）と、この庫内灯ソケット（３）に取り付けられる庫内灯（２）とを備え、可燃性の冷媒を使用する冷蔵庫において、
前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中に前記口金（２Ａ）の先端の端子（２Ｃ）と前記受金（８）側の接触片（１１）とが接触する前に、この庫内灯（２）の全周囲に接触して前記端子（２Ｃ）と前記接触片（１１）とが接触する空間を閉じ、且つ、この接触後もこの庫内灯（２）の螺合を許容する筒状の保持部（５）を設けたことを特徴とする冷蔵庫。
【請求項４】
前記保持部（５）を軟質合成樹脂材料にて成形したことを特徴とする請求項１〜請求項３のいずれか１項に記載の冷蔵庫。
【請求項５】
前記保持部（５）を前記庫内灯ソケット（３）の本体（４）と別体したことを特徴とする請求項１〜請求項４のいずれか一項に記載の冷蔵庫。
【請求項６】
前記保持部（５）を前記庫内灯ソケット（３）の本体（４）と一体に成形したことを特徴とする請求項１〜請求項４のいずれか一項に記載の冷蔵庫。
【発明の詳細な説明】
【０００１】
【発明の属する技術分野】
本発明は、冷凍冷蔵庫等の冷蔵庫に関する。特に、庫内に取り付けられた庫内灯ソケットと、この庫内灯ソケットに取り付けられる庫内灯とを備えた冷蔵庫に関するものである。
【０００２】
【従来の技術】
冷蔵庫には、例えば実開平５−７５９８４号公報に記載されているように、庫内灯ソケットが庫内の適所に設けられている。そして、断熱扉の開扉時に点灯する庫内灯の口金が庫内灯ソケットの受金に螺合して取り付けられる庫内灯装置が構成されている。
【０００３】
ところで、上記のような庫内灯装置では、冷蔵庫の開扉或いは閉扉に伴う振動、冷凍サイクルを構成する圧縮機の運転による振動などにより、受金に対する口金の螺合が緩むことがある。
【０００４】
また、コンプレッサ、凝縮器及び蒸発器を配管接続して冷媒の循環路を形成して成る冷凍サイクルに可燃性の炭化水素系冷媒であるＨＣ冷媒（例えばイソブタン）を使用した冷蔵庫が増加している。
【０００５】
そして、可燃性の冷媒を使用した冷蔵庫では、冷凍サイクルから冷媒が漏れているときに、庫内灯が緩み、口金と受金との間で火花が発生した場合には、漏れた冷媒への引火の原因になるというおそれもある。
【０００６】
【発明が解決しようとする課題】
そこで本発明は、上記の点に鑑みなされたものであり、庫内灯の緩みを回避する冷蔵庫を提供することを目的とする。
【０００７】
また、本発明は、庫内灯の緩みを回避し、且つ、発火の惧れが極めて小さな可燃性性冷媒の冷蔵庫を提供することを目的とする。
【０００８】
【課題を解決するための手段】
本発明は、庫内に取り付けられた庫内灯ソケット（３）と、この庫内灯ソケット（３）に取り付けられる庫内灯（２）とを備えた冷蔵庫において、前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中にこの庫内灯（２）の外周に接触しながらもこの庫内灯（２）の螺合を許容する保持部（５）を設けたことを特徴とする。
【０００９】
また、本発明は、庫内に取り付けられた庫内灯ソケット（３）と、この庫内灯ソケット（３）に取り付けられる庫内灯（２）とを備え、可燃性の冷媒を使用する冷蔵庫において、前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中に前記口金（２Ａ）の先端の端子（２Ｃ）と前記受金（８）側の接触片（１１）とが接触する前に、この庫内灯（２）の外周に接触し、接触しながらもこの庫内灯（２）の螺合を許容する保持部（５）を設けたことを特徴とする。
【００１０】
また、本発明は、庫内に取り付けられた庫内灯ソケット（３）と、この庫内灯ソケット（３）に取り付けられる庫内灯（２）とを備え、可燃性の冷媒を使用する冷蔵庫において、前記庫内灯ソケット（３）には、前記庫内灯（２）の口金（２Ａ）が螺合する受金（８）が設けられるとともに、前記庫内灯（２）の前記口金（２Ａ）を前記受金（８）に螺合中に前記口金（２Ａ）の先端の端子（２Ｃ）と前記受金（８）側の接触片（１１）とが接触する前に、この庫内灯（２）の全周囲に接触して前記端子（２Ｃ）と前記接触片（１１）とが接触する空間を閉じ、且つ、この接触後もこの庫内灯（２）の螺合を許容する筒状の保持部（５）を設けたことを特徴とする。
【００１１】
更に本発明は、前記保持部（５）を軟質合成樹脂材料にて成形したことを特徴とする。
【００１２】
また、本発明は、前記保持部（５）を前記庫内灯ソケット（３）の本体（４）とは別体に成形して保持部材（５）とし、これを本体（４）に固定したことを特徴とする。
【００１３】
また、本発明は前記保持部（５）を前記庫内灯ソケット（３）と一体に成形したことを特徴とする。
【００１４】
【発明の実施の形態】
以下、本発明の実施の形態を図に基づき説明する。
【００１５】
図１は、冷蔵庫である冷蔵庫の正面図である。図２は庫内灯が取付けられていない状態の縦断側面図である。図３は庫内灯を取付け途中の縦断側面図である。図４は庫内灯が取付けられた状態の縦断側面図である。
【００１６】
図１において、１０１は冷蔵庫本体である。この冷蔵庫本体１０１は、それぞれ前面扉が設けられた複数の食品保存室から成る。また、冷蔵庫本体１０１は、外箱と内箱及び両箱間に充填された発泡ウレタン等の断熱材により構成されている。
【００１７】
この冷蔵庫本体１０１の内部は断熱作用のある仕切壁により仕切られ、上部より冷蔵室１０２、冷凍室１０３、野菜室１０４を備えており、冷蔵室１０２前面開口は開閉可能な回動式の冷蔵室扉１０５により閉塞可能であり、冷蔵室１０２の下の冷凍室１０３、野菜室１０４は引出し式の冷凍室扉１０６、野菜室扉１０７により夫々閉塞されている。
【００１８】
前記の各扉は、夫々鋼板から成る扉外箱と硬質樹脂材料から成る扉内箱との間に発泡ウレタン等の断熱材を充填して構成される。
【００１９】
図２、図３、図４は、庫内灯装置を説明するための図である。この庫内灯装置１は、冷蔵庫の内部、即ち冷蔵室（及び冷凍室）に設けられ、この庫内灯装置１は庫内灯２と庫内灯ソケット３とより構成されている。そして、図示しない制御装置によって、冷蔵庫の扉が開いた時に商用電源電圧が前記庫内灯２に印加されて点灯する。
【００２０】
庫内灯ソケット３は、冷蔵庫本体の内箱背壁１１２に取り付けられるソケット本体４と、このソケット本体４に取り付けられ固定された保持部材５とから構成されている。
【００２１】
そして、ソケット本体４は、軟質塩化ビニル樹脂などの軟質合成樹脂材料にて形成され、側部には内箱背壁１１２に嵌合する溝６が形成され、庫内灯が取付られる凹部７には庫内灯２の口金２Ａと螺合する受金８が設けられている。
【００２２】
また、この受金８の内部の底には絶縁部材１０を介して中心接触片１１が取り付けられている。そして、受金８及び中心接触片１１には、商用電源電圧を印加するためにそれぞれリード線１２及びリード線１３が接続されている。
【００２３】
また、凹部７の上端周辺には、受金８の内径よりその内径が大きい筒状の先端部である延出片１４が形成されている。
【００２４】
保持部材５は、庫内灯２の外周に接触して、この庫内灯２を保持する保持部を形成している。この、保持部材５は僅かに外広がりの筒状であり、変形可能な軟質塩化ビニル樹脂などの軟質合成樹脂材料にて形成されている。
また、この保持部材５は、延出片１４への固定部１６と、庫内灯に接触する保持部１７とから構成され、固定部１６の内壁には突条１８が形成されている。
【００２５】
そして、固定部１６が延出部１４の外周を覆った状態で、例えば接着剤にて延出部１４に確実に固定されている。このため、庫内灯２の庫内灯ソケット３への着脱による保持部材５のソケット本体４からの外れは回避される。
【００２６】
延出片１４は、庫内灯２がねじ込まれると、その上端部１５がこの庫内灯２に当接し、この上端部１５が圧迫されて外側に変形する。そして、この上端部１５が被覆体２Ｂの外周に密着し、上端部１５から被覆体２Ｂへの反発力も発生する。
【００２７】
以上の庫内灯ソケット３に庫内灯２を取り付ける際には、口金２Ａと受金８との嵌合（螺合）により、ねじ込まれる。
【００２８】
すると、図３に示されるように、この庫内灯２の被覆体２Ｂの外周に筒状の保持部材５の内周が接触する。そして、接触しながらもこの筒状の保持部材５は、庫内灯２の更なる螺合を許容する。
【００２９】
この接触のために、庫内灯２への取り付けトルクはアップしてしまうが、反対に、少々のことでは、この庫内灯２が緩むこともなくなる。
【００３０】
また、この接触は、庫内灯２の繭形状（または擬似円筒形状）の被覆体２Ｂの外周の全周囲に接触して、口金２Ａの先端の端子２Ｃと中心接触片１１とが接触する空間を閉じる。従って、端子２Ｃと中心接触片１１とが離間状態から更に近接して（又は、接触状態から極僅か離間して）、この両者間で火花が散っても、この密閉空間内に閉じ込められる。
【００３１】
そして更に、庫内灯２をねじ込むと、口金２Ａの先端の端子２Ｃと中心接触片１１とが接触する。
【００３２】
庫内灯２の発光部を覆う透明な被覆体２Ｂのほぼ１／３が保持部材５により覆われる。
【００３３】
そして、被覆体２Ｂが、延出片１４の上端部１５に当接し、この上端部１５を圧迫して変形させる。
【００３４】
このため、庫内灯ソケット３による庫内灯２の保持力が増加し、庫内灯２に対する庫内灯ソケット３による保持が確実になり、庫内灯２を緩めるために或いは取付けの際に締め付けるために必要なトルクが増加する。
【００３５】
冷蔵室扉などの開閉による振動、または冷凍サイクルの運転による振動が庫内灯ソケット３に伝わって庫内灯ソケット３又は庫内灯２が振動した場合にも、この振動により庫内灯２が回転することを防止することができ、また庫内灯２が回転した場合にも、この回転を極力僅かに抑えることができ、庫内灯２のがたつきも防止できる。
【００３６】
この結果、庫内灯２が庫内灯ソケット３に対して緩むことを回避でき、口金２Ａと中心接触片１１との接触、即ち口金２Ａの先端の端子２Ｃとの接触を確実に保つことができ、可燃性の冷媒を使用している冷蔵庫において、口金２Ａと中心接触片１１との接触が不確実になったとき発生する恐れがある火花の発生を確実に回避することができる。例えば、「日本電機工業会、自主基準、炭化水素系冷媒適用冷蔵庫の安全性及び一般要求事項」に規定されている「１．０±０．１Ｎｍのトルクでランプソケットに差込み、それから１５°まで回して部分的に戻し、その後この口金を取り除くのに必要なトルクは、０．３±０．１Ｎｍ以上とする。」という要求事項を満たすことができる。
【００３７】
また、端子２Ｃと中心接触片１１とが接触する空間を閉空間としているので、火花が発生した場合にもそれを閉じ込めることができ、また、庫内灯周囲の気体が口金２Ａ側、即ち凹部７内に流れ込むことを防止できる。従って、可燃性の炭化水素系の冷媒を冷蔵庫に使用した場合にも、火花の発生及びそれにより発火を一層確実に回避できる。
【００３８】
このように本実施形態では、庫内に取り付けられた庫内灯ソケット３と、この庫内灯ソケット３に取り付けられる庫内灯２とを備え、可燃性冷媒を冷媒として使用する冷蔵庫において、前記庫内灯ソケット３には、前記庫内灯２の口金２Ａが螺合する受金８が設けられるとともに、前記庫内灯２の口金２Ａを前記受金８に螺合中に内周がこの庫内灯２の外周に接触しながらもこの庫内灯２の螺合を許容する筒状の保持部材５を設けたことを特徴とする。
【００３９】
また、この本実施形態では、ソケット本体４と保持部材５とを別々に成形しているので、従来から使用されているソケット本体４に保持部材５を取付け固定することで庫内灯ソケット３を構成することができ、ソケット本体４及び庫内灯２に従来のものを兼用することができる。
【００４０】
なお、これは、当然、ソケット本体４と保持部材５とを一体に成形するようにしても良い。
【００４１】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００４２】
また、請求項に対応する図の符号を記載したが、これは、理解を助けるためであって、これにより、請求項が限定的に解釈されるものではない。
【００４３】
【発明の効果】
以上のように本発明は、庫内灯が緩み、がたつきが発生することを確実に回避できる冷蔵庫を提供することができる。
【００４４】
また、可燃性の冷媒を使用した場合にも、前記口金の先端の端子と接触片（中心接触片１１）とが接触する前に、保持部（保持部材５）により、火花の発生する接点の周りを保持部で囲めるので、安全性を向上した冷蔵庫を提供することができる。
【図面の簡単な説明】
【図１】本発明の実施形態の冷蔵庫の正面図である。
【図２】この実施形態において、庫内灯が取付けられていない状態の庫内灯装置の縦断側面図である。
【図３】この実施形態において、庫内灯の取付け途中の状態での庫内灯装置の縦断側面図である。
【図４】この実施形態において、庫内灯が取付けられた状態の庫内灯装置の縦断側面図である。
【符号の説明】
１・・・・庫内灯装置、
２・・・・庫内灯、
２Ａ・・・口金、
２Ｂ・・・被覆体、
２Ｃ・・・接点、
３・・・・庫内灯ソケット、
４・・・・ソケット本体、
５・・・・保持部材（保持部）、
８・・・・受金、
１１・・・中心接触片（接触片）。
【図１】
2004037004.tif 000003
【図２】
2004037004.tif 000004
【図３】
2004037004.tif 000005
【図４】
2004037004.tif 000006